(57)【特許請求の範囲】
【請求項１】
エントランスに設置されて居住者を呼び出すための集合玄関機と、各居室に設置されて呼び出しに応答するための居室親機と、フロント、防災センタ等に設置される複数の管理室親機と、これらの通話路を制御する制御機とから構成される集合住宅インターホンシステムであって、
前記複数の管理室親機は緊急呼出や相談呼出等の呼出種別毎に分類され、その設定された呼出テーブルがシステム内に備えた呼出テーブル記憶手段に記憶される一方、呼出種別毎の呼び出しを実施する複数種類の呼出手段が居室内の適宜位置に設けられ、
更に前記呼出テーブルには、前記呼出種別による呼び出し動作を、応答されるまで繰返し行うか所定時間で終了するかが呼出種別毎に設定されており、
前記制御機は、前記呼出手段により呼び出しが成されたら、前記呼出テーブルに従い前記呼出種別毎に特定された少なくとも１台の管理室親機を、応答されるまで或いは所定時間の間呼出制御を実施することを特徴とする集合住宅インターホンシステム。
【請求項２】
エントランスに設置されて居住者を呼び出すための集合玄関機と、各居室に設置されて呼び出しに応答するための居室親機と、フロント、防災センタ等に設置される複数の管理室親機と、これらの通話路を制御する制御機とから構成される集合住宅インターホンシステムであって、
前記複数の管理室親機は緊急呼出や相談呼出等の呼出種別毎に分類され、その設定された呼出テーブルがシステム内に備えた呼出テーブル記憶手段に記憶される一方、呼出種別毎の呼び出しを実施する複数種類の呼出手段が居室内の適宜位置に設けられ、
前記制御機は、前記呼出手段により呼び出しが成されたら、前記呼出テーブルにより特定された少なくとも１台の管理室親機を呼び出す制御を行い、
前記居室親機は、現在呼び出している呼出先管理室親機の情報を表示する呼出先表示手段、及びその表示を制御する表示制御手段を有し、転送により呼出先が変更されても前記呼出先表示手段に逐次呼出先情報が表示されることを特徴とする集合住宅インターホンシス。
【請求項３】
前記複数の管理室親機には、夫々携帯端末が割り付けられると共に、前記携帯端末に呼び出しを行うための交換機及び基地局を有し、更に前記呼出テーブルは個々の管理室親機と携帯端末の組み合わせテーブルを記憶し、
前記制御機は、前記呼出手段により呼び出しが成されたら、前記呼出テーブルにより特定された少なくとも１台の管理室親機とその管理室親機に割り付けられた携帯端末を呼び出す制御を行うことを特徴とする請求項１又は２記載の集合住宅インターホンシステム。
【請求項４】
前記制御機は、前記呼出手段により特定された呼出先の携帯端末の呼出時間を監視する第１監視タイマを備えると共に、前記呼出テーブルは携帯端末の転送先を記憶し、
前記制御機は、前記第１監視タイマ作動による所定時間が経過しても呼出先の携帯端末の応答が無い場合には、他の携帯端末等に呼び出しを転送することを特徴とする請求項３記載の集合住宅インターホンシステム。
【請求項５】
前記制御機は、前記呼出手段により特定された呼出先の管理室親機の呼出時間を監視する第２監視タイマを備えると共に、前記呼出テーブルは管理室親機の転送先を記憶し、
前記制御機は、前記第２監視タイマ作動による所定時間が経過しても呼出先の管理室親機の応答が無い場合には、他の管理室親機等に呼び出しを転送することを特徴とする請求項１乃至４の何れに記載の集合住宅インターホンシステム。
【請求項６】
エントランスに設置されて居住者を呼び出すための集合玄関機と、各居室に設置されて呼び出しに応答するための居室親機と、フロント、防災センタ等に設置される複数の管理室親機と、これらの通話路を制御する制御機とから構成される集合住宅インターホンシステムであって、
前記複数の管理室親機はフロントや防災センタ等の呼出種別毎に分類されて、その設定された呼出テーブルがシステム内に備えた呼出テーブル記憶手段に記憶される一方、前記居室親機は、呼出種別毎の呼び出しを実施する複数の呼出ボタンを有し、
更に前記呼出テーブルには、前記呼出種別による呼び出し動作を、応答されるまで繰返し行うか所定時間で終了するかが呼出種別毎に設定されており、
前記制御機は、前記呼出ボタンにより呼び出しが成されたら、前記呼出テーブルに従い前記呼出種別毎に特定された少なくとも１台の管理室親機を応答されるまで或いは所定時間の間呼出制御を実施することを特徴とする集合住宅インターホンシステム。
【請求項７】
エントランスに設置されて居住者を呼び出すための集合玄関機と、各居室に設置されて呼び出しに応答するための居室親機と、フロント、防災センタ等に設置される複数の管理室親機と、これらの通話路を制御する制御機とから構成される集合住宅インターホンシステムであって、
前記複数の管理室親機はフロントや防災センタ等の呼出種別毎に分類されて、その設定された呼出テーブルがシステム内に備えた呼出テーブル記憶手段に記憶される一方、前記居室親機は、呼出種別毎の呼び出しを実施する複数の呼出ボタンを有し、
前記制御機は、前記呼出ボタンにより呼び出しが成されたら、前記呼出テーブルにより特定された少なくとも１台の管理室親機を呼び出す制御を行い、
前記居室親機は、現在呼び出している呼出先管理室親機の情報を表示する呼出先表示手段、及びその表示を制御する表示制御手段を有し、転送により呼出先が変更されても前記呼出先表示手段に逐次呼出先情報が表示されることを特徴とする集合住宅インターホンシス。
【請求項８】
前記複数の管理室親機には、夫々携帯端末が割り付けられると共に、前記携帯端末に呼び出しを行うための交換機及び基地局を有し、更に前記呼出テーブルは個々の管理室親機と携帯端末の組み合わせテーブルを記憶し、
前記制御機は、前記呼出ボタンにより呼び出しが成されたら、前記呼出テーブルにより特定された少なくとも１台の管理室親機とその管理室親機に割り付けられた携帯端末を呼び出す制御を行うことを特徴とする請求項６又は７記載の集合住宅インターホンシステム。
【請求項９】
前記制御機は、前記呼出ボタンにより特定された呼出先の携帯端末の呼出時間を監視する第１監視タイマを備えると共に、前記呼出テーブルは携帯端末の転送先を記憶し、
前記制御機は、前記第１監視タイマ作動による所定時間が経過しても呼出先の携帯端末の応答が無い場合には、他の携帯端末等に呼び出しを転送することを特徴とする請求項８記載の集合住宅インターホンシステム。
【請求項１０】
前記制御機は、前記呼出ボタンにより特定された呼出先の管理室親機の呼出時間を監視する第２監視タイマを備えると共に、前記呼出テーブルは管理室親機の転送先を記憶し、
前記制御機は、前記第２監視タイマ作動による所定時間が経過しても呼出先の管理室親機の応答が無い場合には、他の管理室親機等に呼び出しを転送することを特徴とする請求項６乃至９の何れかに記載の集合住宅インターホンシステム。
【発明の詳細な説明】
【技術分野】
【０００１】
本発明は集合住宅インターホンシステムに関し、詳しくは管理室親機が複数設置されている場合に、居室親機から管理室親機を呼び出す呼び出し方の改良に関する。
【背景技術】
【０００２】
集合住宅インターホンシステムは、エントランスに設置された集合玄関機、各居室に設置された居室親機以外に、管理室等に管理室親機が設置され、管理人から個々の居住者に対してメッセージを通知したり、居住者から管理人に対して問い合わせができるよう構成されている。また、管理室親機に携帯端末が割り付けられて管理室親機の呼出動作に連動して携帯端末も呼出動作する構成のシステムがある（例えば、特許文献１参照）。
【特許文献１】特開平９−２３３２０２号公報
【発明の開示】
【発明が解決しようとする課題】
【０００３】
しかしながら、上記従来の集合住宅インターホンシステムにおいては、居室親機から管理室親機を呼び出す場合には、呼出先を指定できないため管理室親機が複数の場合は全ての管理室親機が呼び出される構成となっていた。これは、何れかの管理室親機で応答してくれる確率が高くなるため好ましい形態ではあるが、特定の管理人と通話したい場合、スムーズな呼び出しができなかった。例えば、フロントや警備員室が有り、夫々に管理室親機が設置されているような集合住宅においては、何れかを選択して呼び出すことができなかった。また、居住者が相談したい場合や緊急呼び出しの場合等の呼び出し目的が全く異なる場合であっても同一の管理室親機を呼び出すため、スムーズな対応が難しかった。
【０００４】
また、管理人が携行する携帯端末への転送呼び出しも成されるが、携行し忘れた場合には折角携帯端末に呼び出しを掛けても、呼び出しを受ける人がおらず、誰も応答しない場合があった。このような応答が遅くなる問題は、特に緊急の呼び出しの発生頻度が高い高齢者向けの集合住宅において重要な問題であり、確実に管理人を呼び出しでき、また複数の管理室親機のうち呼出種別毎に最適な呼び出し先を優先して呼び出すシステムが望まれていた。
【０００５】
そこで、本発明はこのような問題点に鑑み、居室親機から呼出種別ごとに呼出先の管理室親機を簡易な操作で指定して呼び出すことができ、更に呼出先が不在の場合には呼び出しを他の居室親機や携帯端末に自動転送する集合住宅インターホンシステムを提供することを目的としている。
【課題を解決するための手段】
【０００６】
上記課題を解決する為に、請求項１に記載の発明は、エントランスに設置されて居住者を呼び出すための集合玄関機と、各居室に設置されて呼び出しに応答するための居室親機と、フロント、防災センタ等に設置される複数の管理室親機と、これらの通話路を制御する制御機とから構成される集合住宅インターホンシステムであって、複数の管理室親機は緊急呼出や相談呼出等の呼出種別毎に分類され、その設定された呼出テーブルがシステム内に備えた呼出テーブル記憶手段に記憶される一方、呼出種別毎の呼び出しを実施する複数種類の呼出手段が居室内の適宜位置に設けられ、更に呼出テーブルには、呼出種別による呼び出し動作を、応答されるまで繰返し行うか所定時間で終了するかが呼出種別毎に設定されており、制御機は、呼出手段により呼び出しが成されたら、呼出テーブルに従い呼出種別毎に特定された少なくとも１台の管理室親機を、応答されるまで或いは所定時間の間呼出制御を実施することを特徴とする。
この発明によれば、呼出手段毎に呼出先を自動指定して特定の管理室親機を呼び出すことができるため、居住者は用件によって適切な管理室親機を容易に呼び出すことができる。その結果、応答した管理人が更に転送したり、かけ直したりする煩わしさを無くすことができる。
また、呼出手段は居室内の適宜位置に設置でき、トイレやベッドに設置した呼出手段は自動的に緊急呼出というように設定でき、呼出先の選択操作をすることなく呼び出しできる。
更に、緊急度の比較的低い呼び出しに対しては、呼び出しを所定時間で停止でき、緊急度の高い呼び出しが発生した場合に、その障害になる事がない。また、緊急度の高い呼び出しについては応答があるまで呼び出しを続けるよう設定でき、呼び出しに対して確実に対応させることができる。
請求項２の発明は、エントランスに設置されて居住者を呼び出すための集合玄関機と、各居室に設置されて呼び出しに応答するための居室親機と、フロント、防災センタ等に設置される複数の管理室親機と、これらの通話路を制御する制御機とから構成される集合住宅インターホンシステムであって、複数の管理室親機は緊急呼出や相談呼出等の呼出種別毎に分類され、その設定された呼出テーブルがシステム内に備えた呼出テーブル記憶手段に記憶される一方、呼出種別毎の呼び出しを実施する複数種類の呼出手段が居室内の適宜位置に設けられ、制御機は、呼出手段により呼び出しが成されたら、呼出テーブルにより特定された少なくとも１台の管理室親機を呼び出す制御を行い、居室親機は、現在呼び出している呼出先管理室親機の情報を表示する呼出先表示手段、及びその表示を制御する表示制御手段を有し、転送により呼出先が変更されても呼出先表示手段に逐次呼出先情報が表示されることを特徴とする。
この発明によれば、呼出手段毎に呼出先を自動指定して特定の管理室親機を呼び出すことができるため、居住者は用件によって適切な管理室親機を容易に呼び出すことができる。その結果、応答した管理人が更に転送したり、かけ直したりする煩わしさを無くすことができる。
また、呼出手段は居室内の適宜位置に設置でき、トイレやベッドに設置した呼出手段は自動的に緊急呼出というように設定でき、呼出先の選択操作をすることなく呼び出しできる。
更に、呼出先が順次変更されても、その情報が居室親機において表示されるので、呼出操作した居住者は、現在どの管理室親機、携帯端末を呼び出しているのかを把握することができ、待っている間安心できる。
【０００７】
請求項３の発明は、請求項１又は２に記載の発明において、複数の管理室親機には、夫々携帯端末が割り付けられると共に、携帯端末に呼び出しを行うための交換機及び基地局を有し、更に呼出テーブルは個々の管理室親機と携帯端末の組み合わせテーブルを記憶し、制御機は、呼出手段により呼び出しが成されたら、呼出テーブルにより特定された少なくとも１台の管理室親機とその管理室親機に割り付けられた携帯端末を呼び出す制御を行うことを特徴とする。
この発明によれば、呼出先の管理人室等に応答する管理人がいない場合であっても、当該管理人が携行する携帯端末が呼び出されるので応答してもらえる確率が高くなる。
【０００８】
請求項４の発明は、請求項３に記載の発明において、制御機は、呼出手段により特定された呼出先の携帯端末の呼出時間を監視する第１監視タイマを備えると共に、呼出テーブルは携帯端末の転送先を記憶し、制御機は、第１監視タイマ作動による所定時間が経過しても呼出先の携帯端末の応答が無い場合には、他の携帯端末等に呼び出しを転送することを特徴とする。
この発明によれば、呼出先の管理人が応答できない状態であっても他の携帯端末へ転送してスライド的に呼び出しを続けるため、応答すべき管理人が応答できなくても、他の管理人が代理で応答することが可能となる。
【０００９】
請求項５の発明は、請求項１乃至４の何れかに記載の発明において、制御機は、呼出手段により特定された呼出先の管理室親機の呼出時間を監視する第２監視タイマを備えると共に、呼出テーブルは管理室親機の転送先を記憶し、制御機は、第２監視タイマ作動による所定時間が経過しても呼出先の管理室親機の応答が無い場合には、他の管理室親機等に呼び出しを転送することを特徴とする。
この発明によれば、呼出先に管理人がいない場合は、呼び出しを転送して他の管理室親機を呼び出すため、応答すべき管理人が応答できなくても、他の管理人が代理で応答することが可能となる。
【００１０】
請求項６の発明は、エントランスに設置されて居住者を呼び出すための集合玄関機と、各居室に設置されて呼び出しに応答するための居室親機と、フロント、防災センタ等に設置される複数の管理室親機と、これらの通話路を制御する制御機とから構成される集合住宅インターホンシステムであって、複数の管理室親機はフロントや防災センタ等の呼出種別毎に分類されて、その設定された呼出テーブルがシステム内に備えた呼出テーブル記憶手段に記憶される一方、居室親機は、呼出種別毎の呼び出しを実施する複数の呼出ボタンを有し、更に呼出テーブルには、呼出種別による呼び出し動作を、応答されるまで繰返し行うか所定時間で終了するかが呼出種別毎に設定されており、制御機は、呼出ボタンにより呼び出しが成されたら、呼出テーブルに従い呼出種別毎に特定された少なくとも１台の管理室親機を応答されるまで或いは所定時間の間呼出制御を実施することを特徴とする。
この発明によれば、呼出先を指定して特定の管理室親機を呼び出すことができるため、居住者は用件によって適切な管理室親機を呼び出すことができる。その結果、応答した管理人が更に転送したり、かけ直したりする煩わしさを無くすことができる。
また、テンキーを操作する事無くワンタッチで目的とする管理室親機を呼び出すことができる。
更に、緊急度の比較的低い呼び出しに対しては、呼び出しを所定時間で停止でき、緊急度の高い呼び出しが発生した場合に、その障害になる事がない。また、緊急度の高い呼び出しについては応答があるまで呼び出しを続けるよう設定でき、呼び出しに対して確実に対応させることができる。
請求項７の発明は、エントランスに設置されて居住者を呼び出すための集合玄関機と、各居室に設置されて呼び出しに応答するための居室親機と、フロント、防災センタ等に設置される複数の管理室親機と、これらの通話路を制御する制御機とから構成される集合住宅インターホンシステムであって、複数の管理室親機はフロントや防災センタ等の呼出種別毎に分類されて、その設定された呼出テーブルがシステム内に備えた呼出テーブル記憶手段に記憶される一方、居室親機は、呼出種別毎の呼び出しを実施する複数の呼出ボタンを有し、制御機は、呼出ボタンにより呼び出しが成されたら、呼出テーブルにより特定された少なくとも１台の管理室親機を呼び出す制御を行い、居室親機は、現在呼び出している呼出先管理室親機の情報を表示する呼出先表示手段、及びその表示を制御する表示制御手段を有し、転送により呼出先が変更されても呼出先表示手段に逐次呼出先情報が表示されることを特徴とする。
この発明によれば、呼出先を指定して特定の管理室親機を呼び出すことができるため、居住者は用件によって適切な管理室親機を呼び出すことができる。その結果、応答した管理人が更に転送したり、かけ直したりする煩わしさを無くすことができる。
また、テンキーを操作する事無くワンタッチで目的とする管理室親機を呼び出すことができる。
更に、呼出先が順次変更されても、その情報が居室親機において表示されるので、呼出操作した居住者は、現在どの管理室親機、携帯端末を呼び出しているのかを把握することができ、待っている間安心できる。
【００１１】
請求項８の発明は、請求項６又は７に記載の発明において、複数の管理室親機には、夫々携帯端末が割り付けられると共に、携帯端末に呼び出しを行うための交換機及び基地局を有し、更に呼出テーブルは個々の管理室親機と携帯端末の組み合わせテーブルを記憶し、制御機は、呼出ボタンにより呼び出しが成されたら、呼出テーブルにより特定された少なくとも１台の管理室親機とその管理室親機に割り付けられた携帯端末を呼び出す制御を行うことを特徴とする。
この発明によれば、呼出先の管理人室等に応答する管理人がいない場合であっても、当該管理人が携行する携帯端末が呼び出されるので応答してもらえる確率が高くなる。
【００１２】
請求項９の発明は、請求項８に記載の発明において、制御機は、呼出ボタンにより特定された呼出先の携帯端末の呼出時間を監視する第１監視タイマを備えると共に、呼出テーブルは携帯端末の転送先を記憶し、制御機は、第１監視タイマ作動による所定時間が経過しても呼出先の携帯端末の応答が無い場合には、他の携帯端末等に呼び出しを転送することを特徴とする。
この発明によれば、呼出先の管理人が応答できない状態であっても他の携帯端末へ転送してスライド的に呼び出しを続けるため、応答すべき管理人が応答できなくても、他の管理人が代理で応答することが可能となる。
【００１３】
請求項１０の発明は、請求項６乃至９の何れかに記載の発明において、制御機は、呼出ボタンにより特定された呼出先の管理室親機の呼出時間を監視する第２監視タイマを備えると共に、呼出テーブルは管理室親機の転送先を記憶し、制御機は、第２監視タイマ作動による所定時間が経過しても呼出先の管理室親機の応答が無い場合には、他の管理室親機等に呼び出しを転送することを特徴とする。
この発明によれば、呼出先に管理人がいない場合は、呼び出しを転送して他の管理室親機を呼び出すため、応答すべき管理人が応答できなくても、他の管理人が代理で応答することが可能となる。
【発明の効果】
【００１６】
この発明によれば、呼出手段毎に呼出先を自動指定して特定の管理室親機を呼び出すことができるため、居住者は用件によって適切な管理室親機を容易に呼び出すことができる。その結果、応答した管理人が更に転送したり、かけ直したりする煩わしさを無くすことができる。また、呼出手段は居室内の適宜位置に設置でき、トイレやベッドに設置した呼出手段は自動的に緊急呼出というように設定でき、呼出先の選択操作をすることなく呼び出しできる。
また、居室親機に呼出ボタンを設けたものは、テンキーを操作する事無くワンタッチで目的とする管理室親機を呼び出すことができる。
【発明を実施するための最良の形態】
【００１７】
以下、本発明を具体化した実施の形態を、図面に基づいて詳細に説明する。図１は本発明に係る集合住宅インターホンシステムの一例を示す構成図であり、１はエントランスに設置されて居住者を呼び出すための集合玄関機、２は各居室１０に設置されて玄関子機等と通話するための居室親機、３（３ａ，３ｂ，３ｃ）は管理室等に設置される管理室親機、４は各機器間の通話路を制御する制御機、５（５ａ，５ｂ・・５ｅ）は個々の管理人が携行する携帯端末、６は携帯端末５と通信するための交換機（ＰＢＸ）、７は携帯端末５と無線通信する基地局、８（８ａ，８ｂ，８ｃ，８ｄ）は呼出種別毎の呼び出しを行う呼出手段、９は呼出手段８を接続するための住戸アダプタ、１１は個々の居室１０の玄関に設置されて居住者を呼び出すための玄関子機である。
【００１８】
集合玄関機１、管理室親機３、ＰＢＸ６は夫々伝送線Ｌ１，Ｌ２，Ｌ３で制御機４に接続され、各住戸アダプタ９は制御機４から伸びた制御機幹線Ｌ４に接続され、居室親機２は住戸アダプタ９を介して制御機幹線Ｌ４に接続されている。また、玄関子機１１は居室親機２に接続されている。尚、携帯端末５としてはパーソナルハンディーホンシステム（ＰＨＳ）又はＩＰ携帯電話が好適に使用できる。
【００１９】
呼出種別で分けられた呼出手段８は、具体的には緊急な呼び出しに対応した緊急ボタン８ａ、ベッド上で操作し易い呼出握りボタン８ｂ、相談担当のライフサポートアドバイザ（以下、ＬＳＡと称する）と通話するための相談ボタン８ｃ、生活の異変を検知して自動呼出動作する生活異変センサ８ｄから構成されている。緊急ボタン８ａは、例えばトイレ或いは浴室、呼出握りボタン８ｂは例えば寝室に設置され、夫々の呼出信号は住戸アダプタ９により夫々のＩＤが付されて制御機４及び居室親機２に伝送される。
【００２０】
また、３台接続された管理室親機３（第１管理室親機３ａ、第２管理室親機３ｂ、第３管理室親機３ｃ）は、例えば集合住宅エントランスに設置されたフロント、防災センタ、ＬＳＡ室等に夫々設置される。そして、第１管理室親機３ａには１台の携帯端末５（第１端末５ａ）が割り付けられ、第２管理室親機３ｂには２台の携帯端末５（第２、第３端末５ｂ，５ｃ）が割り付けられ、第３管理室親機３ｃには２台の携帯端末５（第４、第５端末５ｄ，５ｅ）が割り付けられ、上記呼出種別で区分けされている。
【００２１】
図２は居室親機２の拡大図を示している。図２において、１４（１４ａ，１４ｂ，１４ｃ）は呼出ボタンであり３つ設けられている。具体的に、１４ａはフロント呼出ボタン、１４ｂは防災センタ呼出ボタン、１４ｃはＬＳＡ呼出ボタンであり、この呼出ボタン１４も呼出種別ごとに分けられた管理室親機３を夫々呼び出す。また、図２において、１５は集合玄関機１や玄関子機１１に設けられているカメラの撮像映像を出画するモニタ、１６は呼び出しに応じて通話するための通話ボタンであり、モニタ１５には呼出ボタン等で呼び出した呼出先を表示するよう構成されている。
【００２２】
そして、制御機４には呼出種別毎の呼出先を記憶した呼出テーブル記憶手段としての制御機メモリ１８、及び呼出時間を計測する監視タイマ（第１監視タイマ）１９が備えられている。この制御機メモリに記憶された呼出テーブルは図３に示すように呼出種別毎に分類されている。この制御機メモリは、ＲＡＭ、ＲＯＭ等の半導体メモリが使用できる。
【００２３】
図３を説明すると、緊急呼出（緊急ボタン８ａによる呼び出し）には第１及び第２管理室親機３ａ，３ｂが呼び出される。相談ボタン８ｃには第３管理室親機３ｃ、セキュリティ関係の呼出握りボタン８ｂ及び生活異変センサ８ｄには第１〜第３管理室親機３ａ、３ｂ、３ｃが呼び出されるよう割り付けられている（Ｐ１）。
また、居室親機２のフロント呼出ボタン１４ａには第１、第２管理室親機３ａ、３ｂが、防災センタ呼出ボタン１４ｂには第１〜第３管理室親機３ａ、３ｂ、３ｃが、ＬＳＡ呼出ボタン１４ｃには第３管理室親機３ｃがそれぞれ割り付けられている（Ｐ１）。
【００２４】
携帯端末５も夫々割り付けられている。第１管理室親機３ａには第１携帯５ａが割り付けられ、第２管理室親機３ｂには第２及び第３携帯５ｂ，５ｃが割り付けられ、第３管理室親機３ｃには第４及び第５携帯５ｄ，５ｅが割り付けられている（Ｐ２）。
そして、携帯端末５はスライド呼び出しするよう設定されている。例えば、緊急呼出の場合、最初は第１携帯５ａが呼び出されるが、所定時間経過しても応答が無い場合は次に第２及び第３携帯５ｂ，５ｃが呼び出されるよう設定されている（Ｐ３）。
【００２５】
更に、緊急性の高い呼び出しについては、呼び出しを止めずに繰返し呼出を行うよう設定され、呼出種別により呼出方法を変更している。具体的には、緊急性の高い呼び出しとされる緊急ボタン８ａ、呼出握りボタン８ｂ、生活異変センサ８ｄ、ＬＳＡ呼出ボタン１４ｃによる呼出時には、一定時間を置いて応答があるまで呼び出しを繰り返す設定となっている（Ｐ４）。
尚、緊急ボタン８ａとフロント呼出ボタン１４ａとが同じ割り付けになっているが、当然、変更しても良い。他の呼び出しも同様である。
【００２６】
このように構成された集合住宅インターホンシステムについて、以下、動作を説明する。但し、来訪者による集合玄関機１或いは玄関子機１１からの呼び出し、居室親機２によるその応答操作等、インターホンとしての基本動作は従来と同様であるため説明を省略し、居室親機２から管理室親機３を呼び出す場合の動作について説明する。
【００２７】
まず、相談ボタン８ｃが操作されたときの動作を説明する。呼出操作されると、呼出信号が住戸アダプタ９を介して制御機４に送信される。制御機４では図３に示す呼出テーブルが記憶されているので、このテーブルで指定されている第３管理室親機３ｃを呼び出す制御を行う。これにより第３管理室親機３ｃが呼び出し動作する。また、第３管理室親機３ｃには第４及び第５携帯５ｄ，５ｅが割り付けられているが、１回目の呼び出しとして、第３管理室親機３ｃの呼び出しと同時に第４携帯５ｄの呼び出しが行われる。
【００２８】
この呼び出しを受けて、管理人が第３管理室親機３ｃで応答したときには、第４携帯５ｄでの呼び出しも停止し、居住者と管理人との通話が行われる。尚、通話路の形成動作については従来と同様であるので省略する。
また、管理室を留守にしている場合には、第４携帯５ｄを携行しているので第４携帯５ｄで応答することになる。この場合は、基地局７、ＰＢＸ６を介して居室親機２と携帯端末５の間の通話路が形成され、第３管理室親機３ｃでの呼出音は停止する。
【００２９】
また、何らかの事情により第３管理室親機３ｃ、第４携帯５ｄの双方で応答ができない場合には、所定時間経過後に別の第５携帯５ｅを呼び出すように制御される。この所定時間は監視タイマ１９によって決定され、監視タイマ１９は、呼出開始に連動してカウントを開始し、例えば２０秒等設定された時間が経過したら呼出先を変更させる信号を出力する。これによって、異なった人（管理人）が携行する携帯端末５（第５携帯５ｅ）の呼び出しが行われるので、呼び出しに対する待ち時間を短くできる。
一方、居室親機２では、制御機４から送信された信号を受けて呼出先の管理室親機番号や、予め登録された管理室親機設置場所名等が、モニタ１５に逐次表示されるよう構成されている。
【００３０】
尚、相談ボタン８ｃが居室親機２から離れた場所に設置されている場合は、別途専用のマイク及びスピーカ（図示せず）が壁面等に設けられ、相談ボタン８ｃを設置した場所で管理人と通話が可能となっている。このマイク及びスピーカは相談ボタンを操作して管理人が応答した場合にオン動作する。また、他の呼出手段も同様であり、壁面や天井に設置された通話手段で通話が可能となっている。
【００３１】
また、携帯端末５の呼び出しだけ転送する構成としているが、第３管理室親機３ｃでの呼び出しも他の管理室親機３に転送するようにしてもよい。この場合には、呼出テーブルを書き換えて設定変更することにより可能となる。こうすれば、呼出先に管理人がいない場合は、他の管理室親機を呼び出すため、居住者は長く待たされることなく応答してもらえる確率が高くなる。この場合、制御機４に監視タイマ（第２監視タイマ、或いは上記第１監視タイマ１９を兼用）を設けて呼出時間を計測し、２０秒等の所定時間が経過したら呼出先を変更させればよい。
【００３２】
また、相談ボタン８ｃによる呼び出し及びフロント呼出ボタン１４ａによる呼び出しは緊急度が低く設定されており、応答が無くても呼出状態が所定時間（通常は呼出操作してから４５秒）継続したら、全ての呼び出しを終了するよう設定されている。これは、緊急ボタン８ａ等重要度の高い呼び出しを優先させるためである。
【００３３】
次に、緊急ボタン８ａが操作されたときの動作を説明する。緊急ボタン８ａの呼出信号が住戸アダプタ９を介して制御機４に送信されると、制御機４は呼出テーブルから第１及び第２管理室親機３ａ，３ｂを呼び出す制御を行う。これにより第１及び第２管理室親機３ａ，３ｂにて呼び出しが行われる。また、第１管理室親機３ａには第１携帯５ａが、第２管理室親機３ｂには第２及び第３携帯５ｂ，５ｃが割り付けられているが、まずは１回目呼び出しとして第１管理室親機３ａの呼び出しと同時に第１携帯５ａの呼び出しが行われる。
【００３４】
この呼び出しを確認した管理人が、第１管理室親機３ａ又は第２管理室親機３ｂで応答したときには、居住者と管理人との通話が行われ、第１携帯５ａでの呼び出しは停止する。尚、通話路の形成動作については従来と同様であるので省略する。
また、管理室を留守にしている場合には、第１携帯５ａを携行しているので第１携帯５ａで応答することになる。この場合は、基地局７、ＰＢＸ６を介して通話路が形成され、第１及び第２管理室親機３ａ，３ｂでの呼出音は停止する。
【００３５】
また、監視タイマ１９の動作で所定時間経過しても応答が無い場合は、携帯端末５の呼出先を変更して第２及び第３携帯５ｂ，５ｃを呼び出すように制御され、何らかの事情により第１携帯５ａでも応答ができない場合には、異なった人（管理人）が携行する携帯端末５で呼び出しが行われる。この呼出動作により、応答すべき管理人が応答できなくても、他の管理人が代理で応答することが可能となる。この場合の呼び出しは、応答が有るまで一定の間隔を開けて繰り返して実施される。
【００３６】
居室親機に設けられた呼出ボタンにより呼出操作された場合も同様であり、次のように動作する。例えばＬＳＡ室呼出ボタン１４ｃが操作されたら、制御機４は呼出テーブルから第３管理室親機３ｃを呼び出す制御を行う。これにより第３管理室親機３ｃにて呼び出しが行われる。また、第３管理室親機３ｃには第４、第５携帯５ｄ，５ｅが割り付けられているが、まずは１回目呼び出しとして、第３管理室親機３ｃの呼び出しと同時に第４携帯５ｄの呼び出しが行われる。
【００３７】
この呼び出しを確認した管理人が、第３管理室親機３ｃで応答したときには、居住者と管理人との通話が行われ、第４、第５携帯５ｄ，５ｅでの呼び出しは停止する。尚、通話路の形成動作については従来と同様であるので省略する。
また、ＬＳＡ室を留守にしている場合には、第４、第５携帯５ｄ，５ｅを携行しているので携帯端末５で応答することになる。この場合は、基地局７、ＰＢＸ６を介して通話路が形成され、第３管理室親機３ｃでの呼出音は停止する。
【００３８】
このように、呼出手段、或いは呼出ボタン毎に呼出先を自動指定して特定の管理室親機を呼び出すことができるため、居住者は用件によって適切な管理室親機を容易に呼び出すことができる。その結果、応答した管理人が更に転送したり、かけ直したりする煩わしさを無くすことができる。
また、呼出手段は居室内の適宜位置に設置できるので、トイレやベッドに設置した呼出手段は自動的に緊急呼出というように設定でき、呼出場所に応じて呼出先を自動設定できる、居住者は呼出先の選択操作をする必要が無くなくなる。
更に、呼出ボタンを居室親機に備えることで、テンキーを操作する事無くワンタッチで目的とする管理室親機を呼び出すことができる。
【００３９】
また、呼出先の管理人室等に応答する管理人がいない場合であっても、当該管理人が携行する携帯端末が呼び出されるので応答してもらえる確率が高くなるし、出先の管理人が応答できない状態であっても他の携帯端末へ転送してスライド的に呼び出しを続けるため、応答すべき管理人が応答できなくても、他の管理人が代理で応答することが可能となる。
また、呼出先が順次変更されても、その情報が居室親機において表示されるので、呼出操作した居住者は、現在どの管理室親機、携帯端末を呼び出しているのかを把握することができ、待っている間安心できる。
【００４０】
尚、上記実施形態では、住戸アダプタ９に呼出手段８を接続して呼出種別で分類された居室親機を呼び出す構成としているが、居室親機２に住戸アダプタ９の機能を加えれば、各種呼出手段８を居室親機本体に接続することが可能となる。
また、呼出手段８と呼出ボタン１４の双方を設けているが、何れか一方だけでも目的に応じた管理室親機３をワンタッチで呼び出すことができ、利便性が高い。
また、呼出テーブルを制御機４に記憶しているが、他の機器、例えば集合玄関機１に記憶しても良く、この場合は管理室親機３が呼び出されたら集合玄関機１の情報を基に制御機は制御動作する。
【図面の簡単な説明】
【００４１】
【図１】本発明に係る集合住宅インターホンシステムの実施形態の一例を示す構成図である。
【図２】図１の居室親機の拡大図である。
【図３】呼出テーブルを示す図である。
【符号の説明】
【００４２】
１・・集合玄関機、２・・居室親機、３・・管理室親機、４・・制御機、５・・携帯端末、８・・呼出手段、９・・住戸アダプタ、１１・・玄関子機、１４・・呼出ボタン、１８・・制御機メモリ（呼出テーブル記憶手段）、１９・・監視タイマ（第１監視タイマ）。
【図１】
0004819529.tif 000002
【図２】
0004819529.tif 000003
【図３】
0004819529.tif 000004